(57)【要約】【課題】  複雑な倍電圧整流回路の構成を簡単な回路構成で実現すること。【解決手段】  直流電圧を出力する三相全波整流回路と三相全波整流回路と並列に設けた同一容量の２つの平滑コンデンサからなる直列回路とインバータ回路を制御する出力制御回路と主変圧器の出力を整流する二次整流回路とを設けたアーク加工用電源装置において、三相全波整流回路のプラスと直列回路の中点との間に設けた第１充電用素子と三相全波整流回路のマイナスと直列回路の中点との間に設けた第２充電用素子と、第１充電用素子のコレクタと直列回路のプラスとの間に設けたダイオードと第２充電用素子のエミッタ側と直列回路のマイナス側との間に設けたダイオードと、直流電圧が基準電圧以下のとき第１及び第２充電用素子を導通し、基準電圧以上のとき第１及び第２充電用素子を遮断する充電制御回路とを、備えたことを特徴とするアーク加工用電源装置である。【選択図】図１
2008012586.tif 000002
【特許請求の範囲】
【請求項１】
商用交流電源を整流して脈動する直流電圧を出力する三相全波整流回路と、前記三相全波整流回路に並列に設けて前記直流電圧を平滑する同一容量の第１の平滑コンデンサ及び第２の平滑コンデンサからなる直列回路と、インバータ回路の出力を制御する出力制御回路と、アーク加工に適した高周波交流電圧に変換する主変圧器と、前記主変圧器の出力を整流して直流電圧を出力する２次整流回路とを、設けたアーク加工用電源装置において、
前記三相全波整流回路のプラス側と前記直列回路の中点との間に設けて前記直流電圧を前記第２の平滑コンデンサに供給する第１の充電用スイッチング素子と、前記三相全波整流回路のマイナス側と前記直列回路の中点との間に設けて前記直流電圧を前記第１の平滑コンデンサに供給する第２の充電用スイッチング素子と、前記第１の充電用スイッチング素子のコレクタ側と前記直列回路のプラス側との間に設けて前記第１の平滑コンデンサの放電を防止する第１の放電防止用ダイオードと、前記第２の充電用スイッチング素子のエミッタ側と前記直列回路のマイナス側との間に設けて前記第２の平滑コンデンサの放電を防止する第２の放電防止用ダイオードと、前記三相全波整流回路の直流電圧が予め定めた基準電圧以下のとき、互いに半周期ずらした最大導通比率の同一時間の第１の充電制御信号及び第２の充電制御信号を繰り返し出力して前記第１の充電用スイッチング素子及び第２の充電用スイッチング素子を導通し、前記直流電圧が前記基準電圧以上のとき、前記第１の充電制御信号及び第２の充電制御信号の出力を停止して前記第１の充電用スイッチング素子及び第２の充電用スイッチング素子を遮断する充電制御回路とを、備えたことを特徴とするアーク加工用電源装置。
【請求項２】
前記充電制御回路の出力周波数は、前記商用交流電源の６倍以上であることを、特徴とする請求項１に記載のアーク加工用電源装置。
【請求項３】
前記充電制御回路は、前記商用交流電源が投入されたときから予め定めた時間後に、前記直流電圧と前記基準電圧とを比較することを、特徴とする請求項１又は請求項２に記載のアーク加工用電源装置。
【発明の詳細な説明】
【技術分野】
【０００１】
本発明は、商用交流電源が高電圧又はその約半分の低電圧の２系統のどちらでも使用可能なアーク加工用電源装置に関する。
【背景技術】
【０００２】
アーク加工用電源装置において、商用交流電源が２００Ｖ又は４００Ｖの２系統の電源を共用するために、変圧器の巻数比等を切り換えることによって対応してきた。
【０００３】
図４は、従来技術のアーク加工用電源装置の電気接続図である。同図において、ダイオードＤ９乃至ダイオードＤ１８は、商用交流電源を直流電圧に三相全波整流する１次整流用のダイオードである。スイッチＳＷ１乃至スイッチＳＷ３は、互いに連動する電圧切換スイッチであり、平滑コンデンサＣ６及び平滑コンデンサＣ７は、直流電圧を平滑するコンデンサである。
【０００４】
インバータ回路ＩＮＶは、例えば、図示省略の４つのスイッチング素子でフルブリッジを形成する。主変圧器ＩＮＴは、アーク加工に適した高周波交流電圧に変換して出力し、２次整流回路ＤＲ１は、高周波交流電圧を直流電圧に整流して出力する。
【０００５】
図４に示す、電圧切換スイッチＳＷ１乃至電圧切換スイッチＳＷ３がａ側、例えば２００Ｖ側（低電圧側）にあるときはダイオードＤ９乃至ダイオードＤ１８とコンデンサＣ３乃至コンデンサＣ５とによって倍電圧整流回路を形成する。一方、電圧切換スイッチＳＷ１乃至電圧切換スイッチＳＷ３がｂ側、例えば４００Ｖ側（高電圧側）にあるときはダイオードＤ９乃至スイッチＤ１８によって三相全波整流回路が形成される。
【０００６】
つぎに、図５に示す商用交流電源の入力波形図を用いて動作について説明する。図４に示す、電圧電圧切換スイッチＳＷ１乃至電圧電圧切換スイッチＳＷ３がｂ側、例えば４００Ｖ側（高電圧側）にあるときは、回路は通常の三相全波整流回路となるので説明を省略し、電圧切換スイッチＳＷ１乃至電圧電圧切換スイッチＳＷ３がａ側、２００Ｖ側（低電圧側）にあるときの動作を商用交流電源の各Ｕ、Ｖ、Ｗ相の電圧波形とともに説明する。
【０００７】
図５に示す、Ｔ１の期間はＵ相の電位が最も高くＶ相の電位が最も低い。従って、ＵＶ間の電圧によってダイオードＤ１０を通してコンデンサＣ３が充電される。このとき、図に示す、出力端子１、２間には入力端子Ｕ、電圧切換スイッチＳＷ３、コンデンサＣ５、ダイオードＤ１６、出力端子１、コンデンサＣ６、コンデンサＣ７、出力端子２、ダイオードＤ１５、入力端子Ｖの経路で電圧が印加される。
【０００８】
このとき、ダイオードＤ９及びダイオードＤ１３はコンデンサＣ５とＵ相またはＶ相の電位によって逆バイアスされており導通しない。ここでコンデンサＣ５は、これより先のＴ５の期間に充電され、極性はダイオードＤ１６とダイオードＤ１７との接続点がプラスとなってＵＶ間の電圧と同極性であるので出力端子１、２間にはこれらの和の電圧が印加される。
【０００９】
Ｔ２の期間において、コンデンサＣ３の端子電圧はＵＶ間電圧の波高値まで充電されているので、これ以上充電されることなく、この状態を保持する。一方、出力端子１、２間にはＷ相の電位が最も低くなるために、ダイオードＤ１８を通してＷＵ間電圧とコンデンサＣ５の端子電圧との和が出力される。
【００１０】
Ｔ３の期間において、Ｖ相の電位が最高、Ｗ相の電位が最低となるのでＶＷ間電圧によってコンデンサＣ４が充電され、同時にコンデンサＣ３の電圧とＶＷ間電圧との和が、出力端子１、２間に出力される。
【００１１】
Ｔ４の期間において、コンデンサＣ４の充電は停止し、コンデンサＣ４の端子電圧とＶＵ間の電圧との和が出力端子１，２間に出力される。
【００１２】
Ｔ５の期間において、ＷＵ間の電圧によってコンデンサＣ５が充電されるとともにコンデンサＣ４の端子電圧とＷＵ間の電圧との和が出力端子１、２間に出力される。
【００１３】
Ｔ６の期間において、コンデンサＣ５の充電は停止し、コンデンサＣ４の端子電圧とＷＶ間の電圧との和が出力端子１，２間に出力される。
【００１４】
上記の期間Ｔ１からＴ６までが繰り返される各期間において、各コンデンサの端子電圧とは常に同極性であり、かつ出力端子１側がプラス極性であるので出力端子１、２間には交流電源の線間電圧の２倍の出力電圧が供給されることになる。
（例えば、特許文献１）
【００１５】
【特許文献１】特開平５−９６３７２号公報
【発明の開示】
【発明が解決しようとする課題】
【００１６】
従来のアーク加工用電源装置では、商用交流電源が２００Ｖ又は４００Ｖの２系統の電源を共用するために、図４に示す電圧切換スイッチＳＷ１乃至ＳＷ３をａ側、例えば２００Ｖ側（低電圧側）のときに、９つのダイオードと３つのコンデンサとによって倍電圧整流回路を形成し、この三相全波整流回路は、商用交流電源の２００Ｖを三相全波整流し整流した直流電圧を２倍に昇圧して出力する。一方、電圧切換スイッチＳＷ１乃至ＳＷ３をｂ側、例えば４００Ｖ側（高電圧側）のときには、９つのダイオードによって三相全波整流回路を形成し、この三相全波整流回路は、商用交流電源の４００Ｖを三相全波整流して出力するようにして、２系統の電源の共用を可能にさせていた。
【００１７】
しかし、倍電圧整流回路では、Ｕ相、Ｖ相及びＷ相の各相に容量の大きいダイオード、コンデンサ及び電圧切換スイッチ等の部品を新たに設けることが必要となるため、倍電圧整流回路の構成が複雑になり電源装置の小型化の妨げとなっていた。
【００１８】
そこで、本発明では、上述した課題を解決することができるアーク加工用電源装置を提供することにある。
【課題を解決するための手段】
【００１９】
上述した課題を解決するために、第１の発明は、商用交流電源を整流して脈動する直流電圧を出力する三相全波整流回路と、上記三相全波整流回路に並列に設けて上記直流電圧を平滑する同一容量の第１の平滑コンデンサ及び第２の平滑コンデンサからなる直列回路と、インバータ回路の出力を制御する出力制御回路と、アーク加工に適した高周波交流電圧に変換する主変圧器と、上記主変圧器の出力を整流して直流電圧を出力する２次整流回路とを、設けたアーク加工用電源装置において、上記三相全波整流回路のプラス側と上記直列回路の中点との間に設けて上記直流電圧を上記第２の平滑コンデンサに供給する第１の充電用スイッチング素子と、上記三相全波整流回路のマイナス側と上記直列回路の中点との間に設けて上記直流電圧を上記第１の平滑コンデンサに供給する第２の充電用スイッチング素子と、上記第１の充電用スイッチング素子のコレクタ側と上記直列回路のプラス側との間に設けて上記第１の平滑コンデンサの放電を防止する第１の放電防止用ダイオードと、上記第２の充電用スイッチング素子のエミッタ側と上記直列回路のマイナス側との間に設けて上記第２の平滑コンデンサの放電を防止する第２の放電防止用ダイオードと、上記三相全波整流回路の直流電圧が予め定めた基準電圧以下のとき、互いに半周期ずらした最大導通比率の同一時間の第１の充電制御信号及び第２の充電制御信号を繰り返し出力して上記第１の充電用スイッチング素子及び第２の充電用スイッチング素子を導通し、上記直流電圧が上記基準電圧以上のとき、上記第１の充電制御信号及び第２の充電制御信号の出力を停止して上記第１の充電用スイッチング素子及び第２の充電用スイッチング素子を遮断する充電制御回路とを、備えたことを特徴とするアーク加工用電源装置である。
【００２０】
第２の発明は、上記充電制御回路の出力周波数は、上記商用交流電源の６倍以上であることを、特徴とする請求項１記載のアーク加工用電源装置である。
【００２１】
第３の発明は、上記商用交流電源が投入されたときから予め定めた時間後に、上記直流電圧と上記基準電圧とを比較することを、特徴とする請求項１又は請求項２に記載のアーク加工用電源装置である。
【発明の効果】
【００２２】
第１の発明によれば、倍電圧整流回路は、第１の充電用スイッチング素子及び第２の充電用スイッチング素子並びに第１の平滑コンデンサ及び第２の平滑コンデンサから形成される。そして、第１の平滑コンデンサ及び第２の平滑コンデンサは、脈動する直流電圧の昇圧と平滑の両方を兼ねるので回路構成が非常に単純になり、電源装置の小型化を可能にする。
【００２３】
第２の発明によれば、充電制御回路の出力周波数は、商用交流電源が三相全波整流されたときの脈動周波数（例えば、３６０Ｈｚ）より高く設定し、第１の平滑コンデンサ及び第２の平滑コンデンサを充電するので、高周波化によってコンデンサの充電電流のリップル値が小さくなり平滑コンデンサの寿命が長くなる。
【００２４】
第３の発明によれば、充電制御回路は、商用交流電源が投入され、この商用交流電源の整流を開始したときから予め定めた時間が経過したときに、整流された直流電圧と基準電圧とを比較するので、商用交流電源の入力電圧が２００Ｖか４００Ｖかを正確に判別できる。
【発明を実施するための最良の形態】
【００２５】
図１は、本発明の実施形態１に係るアーク加工用電源装置である。同図において、図４に示す従来技術のアーク加工用電源装置の電気接続図と同一符号の構成物は、同一動作を行うので説明は省略し、符号の相違する構成物についてのみ説明する。
【００２６】
図１に示す第１のダイオードＤ１乃至第６のダイオードＤ６によって、三相の商用交流電源を三相全波整流して三相全波整流回路を形成する。また、三相全波整流回路の並列のコンデンサを設けて直流電源回路を形成し、上記三相全波整流回路に替えて直流電源回路を使用してもよい。入力電圧検出回路ＩＶは、三相全波整流された直流電圧を検出して入力電圧検出信号Ｉｖとして出力する。第１の平滑コンデンサＣ１及び第２の平滑コンデンサＣ２は、同一容量の直列回路を形成して直流電圧を平滑する。
【００２７】
第１の充電用スイッチング素子ＴＲ１及び第２の充電用スイッチング素子ＴＲ２は、両者が重複することなく交互に同一時間、導通と遮断とを繰り返して三相全波整流回路からの直流電圧を第１の平滑コンデンサＣ１と第２の平滑コンデンサＣ２とに交互に供給する。
【００２８】
第１の放電防止用ダイオードＤ７及び第２の放電防止用ダイオードＤ８は、充電された第１の平滑コンデンサＣ１及び第２の平滑コンデンサＣ２の充電電圧の放電を防止する。
【００２９】
インバータ回路ＩＮＶは、４つのスイッチング素子で形成するフルブリッジ回路を使用しているが、ハーフブリッジ回路又はフォワード回路を使用してもよい。
【００３０】
出力電流検出回路ＩＤは、出力電流を検出して出力電流検出信号Ｉｄとして出力する。比較演算回路ＥＲは、出力電流設定信号Ｉｒと出力電流検出信号Ｉｄとを比較演算して、比較演算信号Ｅｒとして出力する。出力制御回路ＳＣは、パルス周波数が一定でパルス幅を変調するＰＷＭ制御を行ない、比較演算信号Ｅｒの値に応じて、第１の出力制御信号Ｓｃ１及び第２の出力制御信号Ｓｃ２のパルス幅を制御する。
【００３１】
図２は充電制御回路ＣＲの詳細図であり、第１の比較回路ＣＰ１、第２の比較回路ＣＰ２、入力基準設定回路ＶＲ１、基準電圧設定回路ＶＲ２、第１のアンド回路ＡＤ１、第２のアンド回路ＡＤ２、時限回路ＴＩ、反転回路ＩＮ及びスイッチング素子駆動回路ＳＤによって形成されている。
【００３２】
図３は、本発明のアーク加工用電源装置の動作を説明する波形図である。図３（Ａ）の波形は入力電圧検出信号Ｉｖを示し、図３（Ｂ）の波形は図２に示す第１の比較信号Ｃｐ１を示し、図３（Ｃ）の波形は図２に示すアンド信号Ａｄ２を示し、図３（Ｄ）の波形は第１の充電制御信号Ｔｒ１を示し、図３（Ｅ）の波形は第２の充電制御信号Ｔｒ２を示し、図３（Ｆ）の波形は第１の平滑コンデンサＣ１及び第２の平滑コンデンサＣ２の端子間電圧が加算された電圧を示す。
【００３３】
つぎに、商用交流用電源が２００Ｖ系統のときについての動作について説明する。
図示省略のマグネットスイッチ等をオンすると、商用交流電源は三相全波整流回路に入力されると商用交流電源を整流し脈動する直流電圧に変換して出力する。入力電圧検出回路ＩＶは、脈動する直流電圧を検出して図３（Ａ）に示す入力電圧検出信号Ｉｖとして出力する。
【００３４】
図３に示す時刻ｔ＝ｔ１において、図２に示す第１の比較回路ＣＰ１は、入力基準設定回路ＶＲ１によって設定した入力基準値Ｖｒ１と入力電圧検出信号Ｉｖとを比較し、入力電圧検出信号Ｉｖが入力基準値Ｖｒ１より大きくなったとき、図３（Ｂ）に示す第１の比較信号Ｃｐ１をＨｉｇｈレベルにする。時限回路ＴＩは、第１の比較信号Ｃｐ１がＨｉｇｈレベルになると時限を開始し、第１のアンド回路ＡＤ１は第１の比較信号Ｃｐ１と時限信号Ｔｉとのアンド論理を行って、時刻ｔ＝ｔ２のときに、第１のアンド信号Ａｄ１をＨｉｇｈレベルにして出力する。
【００３５】
また、図２に示す第２の比較回路ＣＰ２は、基準電圧設定回路ＶＲ２によって設定した基準電圧値Ｖｒ２と入力電圧検出信号Ｉｖとを比較し、入力電圧検出信号Ｉｖが基準電圧値Ｖｒ２より小さいときには、第２の比較信号Ｃｐ２がＬｏｗレベルになり、反転回路ＩＮによってＨｉｇｈレベルにして第２のアンド回路ＡＮＤ２に入力する。
【００３６】
時刻ｔ＝ｔ２において、第２のアンド回路は、入力信号である第１のアンド信号Ａｄ１はＨｉｇｈレベル、反転信号ＩｎもＨｉｇｈレベルであるので第２のアンド信号Ａｄ２はＨｉｇｈレベルになる。スイッチング素子駆動回路ＳＤは、第２のアンド信号Ａｄ２がＨｉｇｈレベルになると商用交流電源が２００Ｖ系であると判別して、図３（Ｄ）及び（Ｅ）に示す互いに半周期ずれて繰り返す第１の充電制御信号Ｔｒ１及び第２の充電制御信号Ｔｒ２を出力する。また、第１の充電制御信号Ｔｒ１及び第２の充電制御信号Ｔｒ２の出力周波数は、商用交流電源周波数の６倍以上、例えば、３６０Ｈｚ以上の３０ＫＨｚに設定してある。
【００３７】
時刻ｔ＝ｔ２において、図３（Ｄ）に示す第１の充電制御信号Ｔｒ１がＨｉｇｈレベルになると、第１の充電用スイッチング素子ＴＲ１は導通し、三相全波整流回路によって整流された直流電圧によって第２の平滑コンデンサＣ２の充電を開始し、第１の充電用スイッチング素子ＴＲ１が導通している時間Ｔａの間、第２の平滑コンデンサＣ２に充電する。続いて、時刻ｔ＝ｔ３において、第１の充電制御信号Ｔｒ１がＬｏｗレベルになると第１の充電用スイッチング素子ＴＲ１は遮断し、直流電圧による第２の平滑コンデンサＣ２の充電を終了する。
【００３８】
時刻ｔ＝ｔ３〜ｔ４は、第１の充電用スイッチング素子ＴＲ１及び第２の充電用スイッチング素子ＴＲ２がアーム短絡を防止する休止時間ｔｄである。
【００３９】
時刻ｔ＝ｔ４において、第２の充電制御信号Ｔｒ２がＨｉｇｈレベルになると第２の充電用スイッチング素子ＴＲ２は導通し、三相全波整流回路によって整流された直流電圧によって第１の平滑コンデンサＣ１の充電を開始し、第２の充電用スイッチング素子ＴＲ２が導通している時間Ｔａの間、第１の平滑コンデンサＣ１に充電する。続いて、時刻ｔ＝ｔ５において、第２の充電制御信号Ｔｒ２がＬｏｗレベルになると第２の充電用スイッチング素子ＴＲ２は遮断し、直流電圧による第１の平滑コンデンサＣ１の充電を終了する。
【００４０】
図３（Ｄ）に示す時刻ｔ＝ｔ３〜ｔ６の時間Ｔｂの間は、第１の充電用スイッチング素子ＴＲ１の遮断によって、第１の平滑コンデンサＣ２の充電電圧の放電を防止する。
【００４１】
続いて時刻ｔ＝ｔ６において、第１の平滑コンデンサＣ１の充電電圧と第２の平滑コンデンサＣ２の充電電圧とが加算され、図３（Ｆ）に示すように三相全波整流回路によって整流された直流電圧を平滑すると共に倍電圧にしてインバータ回路ＩＮＶに供給しる。以後、上述の充電を繰り返して直流電圧の倍電圧を維持する。
【００４２】
また、第１の放電防止用ダイオードＤ７は、第１の充電用スイッチング素子ＴＲ１が導通している時間ｔ２〜ｔ３の間、第１の平滑コンデンサＣ１の充電された電荷の放電を防止し、第２の放電防止用ダイオードＤ８は、第２の充電用スイッチング素子ＴＲ２１が導通している時間ｔ４〜ｔ５の間、第２の平滑コンデンサＣ２の充電された電荷の放電を防止する。さらに、第１の平滑コンデンサＣ１及び第２の平滑コンデンサＣ２は、三相全波整流回路によって整流された直流電圧の平滑を行う。
【００４３】
つぎに、商用交流用電源が４００Ｖ系統のときについての動作について説明する。
図２に示す第２の比較回路ＣＰ２は、基準電圧設定回路ＶＲ２によって設定した基準電圧値Ｖｒ２と入力電圧検出信号Ｉｖとを比較し入力電圧検出信号Ｉｖが基準電圧値Ｖｒ２より大きいときに、第２の比較信号Ｃｐ２がＨｉｇｈレベルになり、反転回路ＩＮによってＬｏｗレベルにして第２のアンド回路ＡＮＤ２に入力する。
【００４４】
図３に示す時刻ｔ＝ｔ２において、第２のアンド回路ＡＮＤ２は、第１のアンド信号Ａｄ１のＨｉｇｈレベルと反転信号ＩｎのＬｏｗレベルとのアンド論理を行って第２のアンド信号Ａｄ２をＬｏｗレベルにする。スイッチング素子駆動回路ＳＤは、第２のアンド信号Ａｄ２がＬｏｗレベルになると商用交流電源が４００Ｖ系であると判別して、第１の充電制御信号Ｔｒ１及び第２の充電制御信号Ｔｒ２の出力を停止する。
【００４５】
充電制御回路ＣＲは、第１の充電制御信号Ｔｒ１及び第２の充電制御信号Ｔｒ２の出力を停止し、第１の充電用スイッチング素子ＴＲ１及び第２の充電用スイッチング素子ＴＲ２が遮断すると、三相全波整流回路は４００Ｖの商用交流電源を三相全波整流し脈動する直流電圧にし、この直流電圧を第１の平滑コンデンサＣ１及び第２平滑コンデンサＣ２によって平滑してインバータ回路ＩＮＶに出力する。
【図面の簡単な説明】
【００４６】
【図１】本発明のーク加工用電源装置の電気接続図である。
【図２】図１に示す充電制御回路ＣＲの詳細図である。
【図３】本発明のアーク加工用電源装置の動作を説明する波形図である。
【図４】従来技術のアーク加工用電源装置の電気接続図である。
【図５】従来技術のアーク加工用電源装置の動作を説明する波形図である。
【符号の説明】
【００４７】
ＡＤ１      第１のアンド回路
ＡＤ２      第１のアンド回路
Ｃ１        第１の平滑コンデンサ
Ｃ２        第２の平滑コンデンサ
Ｃ３        コンデンサ
Ｃ４        コンデンサ
Ｃ５        コンデンサ
Ｃ６        平滑コンデンサ
Ｃ７        平滑コンデンサ
ＣＰ１      第１の比較回路
ＣＰ２      第２の比較回路
Ｄ１        第１のダイオード
Ｄ２        第２のダイオード
Ｄ３        第３のダイオード
Ｄ４        第４のダイオード
Ｄ５        第５のダイオード
Ｄ６        第６のダイオード
Ｄ７        第１の放電防止用ダイオード
Ｄ８        第２の放電防止用ダイオード
Ｄ９        ダイオード
Ｄ１０      ダイオード
Ｄ１１      ダイオード
Ｄ１２      ダイオード
Ｄ１３      ダイオード
Ｄ１４      ダイオード
Ｄ１５      ダイオード
Ｄ１６      ダイオード
Ｄ１７      ダイオード
Ｄ１８      ダイオード
ＤＣＬ      直流リアクトル
ＤＲ１      ２次整流回路
ＥＲ        比較演算回路
Ｅｒ        比較演算信号
ＩＤ        出力電流検出回路
Ｉｄ        出力電流検出信号
ＩＮ        反転回路
Ｉｎ        反転信号
ＩＲ        出力電流設定回路
ＩＶ        入力電圧検出回路
Ｉｖ        入力電圧検出信号
ＩＮＶ      インバータ回路
ＩＮＴ      主変圧器
Ｍ          被加工物
ＳＣ        出力制御回路
ＳＤ        スイッチング素子駆動回路
Ｓｃ１      第１の出力制御信号
Ｓｃ２      第２の出力制御信号
ＳＷ１〜３  電圧切換スイッチ
ＴＨ        トーチ
ＴＩ        時限回路
ＴＲ１      第１の充電用スイッチング素子
Ｔｒ１      第１の充電制御信号
ＴＲ２      第２の充電用スイッチング素子
Ｔｒ２      第２の充電制御信号
ＶＲ１      入力基準設定回路（入力基準値）
Ｖｒ１      入力基準設定回路（入力基準値）
ＶＲ２      基準電圧設定回路
Ｖｒ２      基準電圧設定信号（基準電圧値）
【図１】
2008012586.tif 000003
【図２】
2008012586.tif 000004
【図３】
2008012586.tif 000005
【図４】
2008012586.tif 000006
【図５】
2008012586.tif 000007